(57)【特許請求の範囲】
【請求項１】
引出内に格納される収納容器の上辺に断面逆Ｕ字状のフック部が形成され、引出に備えた引出内を区画分離する仕切体、もしくは引出の側面構成体の上部が、前記フック部の被取付部となる収納容器セットにおいて、前記被取付部とフック部の間に介在して収納容器に着脱自在に装着可能な高さ調整具を備え、該高さ調整具は、フック部が掛合される被掛合部と、被取付部に係止される係止部とを有することを特徴とする収納容器セット。
【請求項２】
前記係止部が形状の異なる複数種の被取付部に係止可能な形状を有することを特徴とする請求項１に記載の収納容器セット。
【請求項３】
前記フック部と被掛合部の保持力が、被取付部と係止部の保持力よりも大きくなるよう構成されることを特徴とする請求項１又は請求項２に記載の収納容器セット。
【請求項４】
前記請求項１〜３のいずれか１項に記載の高さ調整具と収納容器を一体にする収納容器セットを備えたことを特徴とする収納容器付引出。
【発明の詳細な説明】
【技術分野】
【０００１】
本発明は収納容器セット及びこれを備えた収納容器付引出に関する。
【背景技術】
【０００２】
従来の家具、キッチン等に設けられる引出には、特許文献１のように引出内に小物を収納するための収納容器を備えたものがある。この種の収納容器は、断面逆Ｕ字状のフック部を有し、該フック部を引出内を仕切る仕切体や引出の側面を構成する側面構成体の上部に引っ掛けることにより固定される。
【先行技術文献】
【特許文献】
【０００３】
【特許文献１】特許第４３６３８７６号公報
【発明の概要】
【発明が解決しようとする課題】
【０００４】
ところで、家具、キッチン等に設けられる引出は、使用目的に応じて、引出の深さが数種類存在し、すなわち、引出の仕切体や側面構成体の上面と引出の物品載置部の底面との高さ寸法が異なることで、仕切体や側面構成体の上部が引出内に格納された収納容器のフック部よりも低位置に存在することがあり、この際にはフック部を仕切体や側面構成体に引っ掛けて固定することができない。
【０００５】
本発明は上記事情に鑑みてなされたものであって、仕切体や側面構成体が引出内に格納された収納容器のフック部よりも低位置に存在する場合にも、収納容器を仕切体や側面構成体の上部に取り付けることができる収納容器セット及びこれを備えた収納容器付引出を提供することを課題とする。
【課題を解決するための手段】
【０００６】
上記課題を解決するために本発明の収納容器セット及びこれを備えた収納容器付引出は、引出１内に格納される収納容器３の上辺に断面逆Ｕ字状のフック部１３が形成され、引出１に備えた引出１内を区画分離する仕切体２、もしくは引出１の側面構成体９の上部が、前記フック部１３の被取付部となる収納容器セットにおいて、前記被取付部とフック部１３の間に介在して収納容器３に着脱自在に装着可能な高さ調整具１５を備え、該高さ調整具１５は、フック部１３が掛合される被掛合部１９と、被取付部に係止される係止部２０とを有することを特徴とする。
【０００７】
この構成を有することで、収納容器３のフック部１３を高さ調整具１５の被掛合部１９に掛合すると共に係止部２０を被取付部に係止することで、収納容器３を高さ調整具１５を介して被取付部に保持することができる。このため用途毎の引出１の高さ等によりフック部１３の高さが掛合の相手となる被取付部よりも低い場合にも、収納容器３を被取付部に取り付けることができる。
【０００８】
また前記係止部２０が形状の異なる複数種の被取付部に係止可能な形状を有することが好ましい。この場合、形状の異なる複数種の被取付部に係止部２０の対応する係止部分を確実に係止することができる。またこのような係止部２０を有することで高さ調整具１５の種類を少なくすることができる。
【０００９】
また高さ調整具１５を介して被取付部に取り付けられた収納容器３を引出１から取り出した場合に、高さ調整具１５が被取付部に取り付けたままの状態で引出１側に残ってしまうと、この高さ調整具１５も被取付部から取り外す必要があり不便である。そこで、前記フック部１３と被掛合部１９の保持力が、被取付部と係止部２０の保持力よりも大きくなるよう構成されることが好ましい。この場合、収納容器３を引出１から取り出した場合に、フック部１３で被掛合部１９が保持されたままの状態で係止部２０の被取付部に対する係止を外すことができ、収納容器３に対する高さ調整具１５の着脱も引出１から取り外して手元で行うことができ、取扱利便性が優れる。
【発明の効果】
【００１０】
本発明にあっては、引出の仕切体や側面構成体の上面と引出の物品載置部の底面との高さ寸法が異なることで、仕切体や側面構成体が引出内に格納された収納容器のフック部よりも低位置に存在する場合にも、収納容器を仕切体や側面構成体に取り付けることができ、収納容器の汎用性が向上する。
【図面の簡単な説明】
【００１１】
【図１】本発明の実施形態の一例を示し、収納容器を高さ調整具を介して棒状の仕切体に取り付けた収納容器付引出を示す斜視図である。
【図２】（ａ）は同上の側断面図であり、（ｂ）は（ａ）の要部拡大図である。
【図３】収納容器及び高さ調整具の断面斜視図である。
【図４】実施形態の他例を示し、収納容器を高さ調整具を介して板状の仕切体に取り付けた収納容器付引出を示す斜視図である。
【図５】（ａ）は同上の側断面図であり、（ｂ）は（ａ）の要部拡大図である。
【図６】実施形態の更に他例を示し、収納容器を直接仕切体に取り付けた収納容器付引出を示す斜視図である。
【図７】（ａ）は同上の側断面図であり、（ｂ）は（ａ）の要部拡大図である。
【発明を実施するための形態】
【００１２】
以下本発明の実施形態を図１乃至７の添付図面に基づいて説明する。なお、本実施形態の収納容器セットを有する収納容器付引出は、キッチン床面に設置されるキッチンキャビネットに設けられるものであるが、その他の家具等に設けられるものであってもよい。
【００１３】
図１及び図２のように本実施形態の収納容器付引出は、引出１と、引出１に備えた引出１内を区画分離する仕切体２と、引出１内に格納される小物を収納するための収納容器３とを備えている。
【００１４】
引出１は、底面を構成する底面構成体６上に、前面、後面、両側面の夫々を構成する前面構成体７、後面構成体８、及び側面構成体９が設けられて上方に開口する箱状に形成され、これら構成体６〜９で囲まれた空間が前記仕切体２により仕切られる収納空間５となっている。
【００１５】
図示例では側面構成体９が、底面構成体６上に立設された側壁９ａと、前面構成体７と後面構成体８の間に架設されて前記側壁９ａ上方に位置する棒状の側面ガード体９ｂとで構成されている。
【００１６】
仕切体２は両側の側面構成体９の間に架設された棒状仕切体２ａからなり、これにより収納空間５は前後に仕切られている。
【００１７】
収納容器３は、符号３ａを付した縦長箱状で様々な小物を収容できるものや、符号３ｂを付した横長トレイ状でボトルを収容するもの等からなる。
【００１８】
各収納容器３の上辺には、仕切体２に取り付けるためのフック部１３が形成されている。つまり本実施形態では仕切体２がフック部１３を取り付ける被取付部を構成している。なお、フック部１３は仕切体２及び側面構成体９のうち両者に掛合可能なものであってもよいし、側面構成体９だけに掛合可能なものであってもよい。
【００１９】
フック部１３は各収納容器３の一壁部の上縁に亘って断面略Ｕ字状に形成され、収納容器３の外側において下方に向けて開口している。図３、図７（ｂ）に示されるようにフック部１３の長手方向に間隔を介した２箇所の対向する内面には上下に長い突条１６が一体に形成されている。
【００２０】
ここで収納容器３を仕切体２に取り付けるにあたって、用途毎の引出１の高さ等により、フック部１３の高さが掛合の相手となる仕切体２に対して適切である場合と、それよりも低い位置である場合がある。
【００２１】
後者の場合には、例えば図１及び図２の例、あるいは図４及び図５の例のようにフック部１３が高さ調整具１５を介して仕切体２に取り付けられる。図１及び図２の例では本実施形態の収納容器３が高さ調整具１５を介して棒状仕切体２ａに取り付けられた例が示されている。また、図４及び図５の例では、収納容器３が高さ調整具１５を介して板状仕切体２ｂに取り付けられた例が図示されている。図４に示す例では、側面構成体９が底面構成体６上に立設された側壁９ｃで構成され、引出１内が両側の側面構成体９の間に架設された板状仕切体２ｂにより仕切られている。なお、図１及び図４の例では、いずれも引出１の前部に配設された仕切体２と前面構成体７との間に形成された空間に収納容器３ａ、３ｂが配置されている。
【００２２】
図３に示される高さ調整具１５は略縦板状の合成樹脂成形品からなり、引出１内に格納された収納容器３のフック部１３と、この下方に位置する仕切体２との間に介在し、該高さ調整具１５を介して収納容器３は仕切体２に取り付けられる。
【００２３】
高さ調整具１５の上端部はフック部１３に挿嵌される被掛合部１９となっている。被掛合部１９の厚み寸法αはフック部１３内に形成された下方に開口する溝幅以上の寸法となっていて、フック部１３が被掛合部１９に掛合したとき、フック部１３内に嵌め込まれた被掛合部１９がフック部１３の対向する内面の間に挟持されるようになっている。また、フック部１３内面のうち収納容器３の外側に位置する内面には、突部１８が一体に形成されている。一方、高さ調整具１５の被掛合部１９の片側には、前記突部１８と凹凸嵌合する凹部２６が形成されている。なお、フック部１３は図示例のように収納容器３の一壁部にのみ形成されるものであってもよいし、複数の壁部に形成されるものであってもよい。
【００２４】
高さ調整具１５の下端部には、仕切体２に係止可能な係止部２０が形成されている。係止部２０は下方に開口する溝部２０ａで構成されている。溝部２０ａの長手方向の複数箇所には略逆Ｕ字状に形成されたリブ２２が突設され、各リブ２２の内側には下方に開口する差込溝２３が形成されている。
【００２５】
各差込溝２３は、下嵌込部２４と、これに連続する上嵌込部２５とで構成され、下嵌込部２４のリブ対向幅は、棒状仕切体２ａの幅と略同じであり、また、上嵌込部２５のリブ対向幅は、板状仕切体２ｂの厚みと略同じであって下嵌込部２４のリブ対向幅よりも小さくなっている。下嵌込部２４が形成された各リブ２２の下部は、内方で棒状仕切体２ａを挟み込みする形態となり、上嵌込部２５が形成された各リブ２２の上部は内方で板状仕切体２ｂを挟み込みする形態となっている。
【００２６】
高さ調整具１５を用いて収納容器３を仕切体２に取り付けるには、収納容器３のフック部１３を、高さ調整具１５の被掛合部１９に掛合すると共に係止部２０を仕切体２に係止する。
【００２７】
収納容器３と高さ調整具１５を結合するにあたって、収納容器３のフック部１３に高さ調整具１５の被掛合部１９を掛合するには、高さ調整具１５の被掛合部１９を収納容器３のフック部１３内の長手方向に間隔を介して配置された突条１６間に下方から差し込み、高さ調整具１５の凹部２６を収納容器３の突部１８に嵌合させる。これによって被掛合部１９がフック部１３の対向する内面で挟持されると共に、前記の凹部２６と突部１８が嵌合することで、フック部１３と被掛合部１９との掛合が維持される。さらに被掛合部１９がフック部１３の長手方向両側の突条１６に当たってフック部１３の長手方向における位置決めがなされる。これらによって被掛合部１９はフック部１３の内方の所定位置に強固に保持される。
【００２８】
収納容器３を仕切体２に係止させるには、図２あるいは図５に示されるように、高さ調整具１５の係止部２０を、仕切体２に嵌め付けるべく、仕切体２の上方から、高さ調整具１５と一体になった収納容器３からなる収納容器セットを落とし込み装着する。
【００２９】
仕切体２が、棒状仕切体２ａである場合は、図２に示すように、棒状仕切体２ａの外周面が、係止部２０内の差込溝２３に形成された下嵌込部２４にあって、上嵌込部２５と、上嵌込部２５と下嵌込部２４の間に形成された段差部２７に囲まれるようにして、高さ調整具１５すなわち収納容器３が仕切体２に固定保持される。
【００３０】
また、仕切体２が板状仕切体２ｂである場合には、図４に示すように、板状仕切体２ｂの上面部が、係止部２０内の差込溝２３の奥方に形成された上嵌込部２５に位置するようになり、高さ調整具１５すなわち収納容器３が仕切体２に固定保持される。
【００３１】
このように本実施形態の高さ調整具１５の係止部２０は下嵌込部２４と上嵌込部２５との２種類の係止部分を備えるので、棒状仕切体２ａとこれと形状が異なる板状仕切体２ｂとの両者に取り付けることができ、係止部２０を異形状の仕切体２等に確実に係止することができ、また高さ調整具１５の種類を少なくすることができる。また、本実施形態では仕切体２ａ、２ｂの形状の違いに加えて、棒状仕切体２ａと板状仕切体２ｂの各々の上面高さに違いがあり、これに係止できるよう係止部２０の形状を工夫した例を示したが、係止部２０は高さが同じで形状の異なる被取付部に係止可能な形状を有するものであってもよいものとする。
【００３２】
なお本実施形態の係止部２０は形状の異なる２種類の被取付部に係止可能な形状を有するものであるが、３種類以上の被取付部に係止可能な形状を有するものであってもよい。
【００３３】
ここで前記上嵌込部２５や下嵌込部２４に嵌め込まれた仕切体２は、リブ２２によって挟持されない、あるいはフック部１３によって被掛合部１９が挟持される力よりも小さい力で挟持されるものである。このためフック部１３と被掛合部１９の保持力が、仕切体２と係止部２０の保持力よりも大きくなっている。従って高さ調整具１５を介して仕切体２に取り付けられた収納容器３を引出１から取り外すにあたって、収納容器３を上方に持ち上げた場合には、フック部１３に被掛合部１９が保持されたままの状態で、高さ調整具１５が仕切体２から外れ、すなわち溝部２０ａから仕切体２が外れる。よって引出１内の清掃や収納容器３の配置を変更等するにあたって収納容器３を取り外す際には、高さ調整具１５を収納容器３と一緒に取り出すことができて、収納容器３の取り扱い性は優れたものとなる。
【００３４】
また、収納容器３単体にあって、フック部１３の高さと、この掛合相手となる仕切体２の高さ（すなわち引出１の深さ）とが、適切な組合わせの場合は、図６及び図７に示されるように、収納容器３は、フック部１３を介して高さ調整具１５を用いることなく、直接仕切体２に取り付けられる。図６及び図７の例では、図１の例と同様に仕切体２が棒状仕切体２ａからなり、フック部１３は対向する両突条１６間に形成された嵌込溝１７に棒状仕切体２ａが嵌め込まれた状態で棒状仕切体２ａに掛合されて、収納容器３は引出１内に格納装着される。
【００３５】
以上説明した本実施形態にあっては、収納容器３がフック部１３と仕切体２との間に配置された高さ調整具１５を介して低位置に設けられた仕切体２に取り付けることができ、収納容器３の汎用性が向上する。
【００３６】
また、収納容器３は仕切体２に係止されて引出１内に格納される例を示したが、図１に示す引出１の側面構成体９は、側壁９ａと、前面構成体７と後面構成体８の間に架設されて前記側壁９ａ上方に位置する棒状の側面ガード体９ｂとで構成されており、且つ、側面ガード体９ｂの高さ位置は、棒状仕切体９ａの高さ位置と同じであるので、前述の構成と同じく、高さ調整具１５を嵌め付けした収納容器３は、引出１の側面構成体９に係止して格納することもできる。
【００３７】
また、収納容器３が高さ調整具１５を介して取り付けられる仕切体２は、前面構成体７と後面構成体８の間に架設されて収納空間５を左右に仕切る棒材や板材からなるものや、前後又は左右に並設された仕切体２間に架設されて仕切体２間の空間をさらに仕切るもの等であってもよい。
【００３８】
また、引出１の構成としては、前述の実施例では、底面、側面、前面、背面ともに板状に形成された部品で構成されたものを示したが、例えば、線材で形成された籠のような箱体であっても、収納容器３が安定して底面載置されるものであれば、何ら支障はない。
【符号の説明】
【００３９】
１  引出
２  仕切体
３  収納容器
９  側面構成体
１３  フック部
１５  高さ調整具
２０  係止部
【図１】
0005391044.tif 000002
【図２】
0005391044.tif 000003
【図３】
0005391044.tif 000004
【図４】
0005391044.tif 000005
【図５】
0005391044.tif 000006
【図６】
0005391044.tif 000007
【図７】
0005391044.tif 000008